(57)【要約】      （修正有）【課題】コンテナに収容した農産物を収納ホッパー等に移す際に、土、砂、雑物、雨水等が農産物に混入して品質の低下を招く事態を解決し、かつ扉パネルを支障なく開閉することができるメッシュ型コンテナの提供。【解決手段】底部パネル１は断面口型又は断面冂型の鋼材からなる枠体２と、縦棒鋼３Ａと横棒鋼３Ｂを縦横に配列して固着したメッシュ状パネル部３とから構成してあり、外側縦材２Ａの長手方向先端側には切り欠き部４が形成してある。底部パネル１の３辺に折畳可能に連結した側枠パネルは、複数本の縦棒鋼と横棒鋼をメッシュ状に配列して固着することにより構成してある。内外方向に回動可能な扉パネルの縦棒鋼１４Ａの略Ｌ字状に屈曲した下端側角隅１４Ａ1 は開放時に外側縦材２Ａの切り欠き部４内に遊嵌する。【選択図】図５
0003101344.tif 000002
【実用新案登録請求の範囲】
【請求項１】
複数本の鋼材を連結して構成した枠体に多数本の棒鋼を縦横に配設固着してメッシュ状パネル部を形成してなる四角形の底部パネルと、多数本の棒鋼を縦横に配設固着することにより四角形に形成し、該底部パネルの三辺の縁に内方向に回動可能に連結し、かつ互いに連結した３枚の側枠パネル及び前記底部パネルの一辺の縁に内外方向に回動可能に連結し、隣接する該側枠パネルに連結具により係脱可能な扉パネルとからなり、前記枠体は縦断面略冂状又は口状の鋼材からなる複数本の枠材により構成し、かつ最外側に位置する一対の枠材は長手方向一端側の上面に、前記扉パネルの外方回転時に該扉パネルを構成する棒鋼の下端側角隅が遊嵌可能な切り欠き部を形成したことを特徴とするメッシュ型コンテナ。
【請求項２】
前記扉パネルは、回動可能に連結した下部パネル体と上部パネル体とから構成し、該上部パネル体を外側に回転させることにより二つ折可能に構成してあることを特徴とする請求項１記載のメッシュ型コンテナ。
【考案の詳細な説明】
【技術分野】
【０００１】
本考案は、芋、長芋、玉葱、小豆等の収穫した農産物を運搬及び保管するためのコンテナに関し、特に収納ホッパ、貯蔵倉庫等に農産物を投入する際に農産物と共に異物が混入して投入されることのないメッシュ型コンテナに関する。
【背景技術】
【０００２】
従来、収穫した比較的小振りの農産物等を輸送する場合には、目の細かいメッシュ型コンテナが用いられている。このメッシュ型コンテナは、略凵型の鋼材を略四角形に連結して枠体とし、この枠体に多数本の棒鋼を縦横に配設して溶接手段により互いに固着してメッシュ状パネル部を構成した底部パネルと、棒鋼を縦横に配設して互いに固着することにより四角形に形成し、下縁側を底部パネルの３辺の縁に内方向に回動可能に連結し、かつ互いに連結した３枚の側枠パネルと、底部パネルの一辺の縁に内外方向に回動可能に連結し、隣接する該側枠パネルに連結具により係脱可能に連結した扉パネルとから構成してある。なお、この種メッシュ型コンテナに関する特許文献は見出されなかったが、コンテナに関しては特許文献１のものがある。
【特許文献１】特願２００３−３１０１０５
【考案の開示】
【考案が解決しようとする課題】
【０００３】
上述したメッシュ型コンテナは畑等で収穫した農産物を収容してトラック等により集積地に運搬し、集積地ではメッシュ型コンテナごと逆転させて農産物を貯蔵倉庫内や収納ホッパに移している。この場合、従来のメッシュ型コンテナは、製作時の溶接作業を行い易いように上方が開放した断面略凵字状の鋼材で底部パネルの枠体を構成しているため、鋼材の内側凹部に収納作業時の砂、土、雑物や雨水等が溜り、これらが米、小麦等の農産物を貯蔵倉庫内や収納ホッパに移す時に一緒に混入してしまい、このために収穫した農産物の品質を損なったり、食品製造時に除去工程を必要とするという問題があった。
【０００４】
本考案は、従来技術の欠点に鑑みなされたもので、農産物を収納ホッパーや貯蔵倉庫に移すためにコンテナを逆転させた場合に、砂、土、雑物、雨水等の異物が農産物と共に収納ホッパー等に混入する事態を解消し、農産物の品質を損なうことがないようにしたメッシュ型コンテナを提供することを目的とする。
【課題を解決するための手段】
【０００５】
上述した課題を解決するために構成された本考案の手段は、複数本の鋼材を連結して構成した枠体に多数本の棒鋼を縦横に配設固着してメッシュ状パネル部を形成してなる四角形の底部パネルと、多数本の棒鋼を縦横に配設固着することにより四角形に形成し、該底部パネルの三辺の縁に内方向に回動可能に連結し、かつ互いに連結した３枚の側枠パネル及び前記底部パネルの一辺の縁に内外方向に回動可能に連結し、隣接する該側枠パネルに連結具により係脱可能な扉パネルとからなり、前記枠体は縦断面略冂状又は口状の鋼材からなる複数本の枠材により構成し、かつ最外側に位置する一対の枠材は長手方向一端側の上面に、前記扉パネルの外方回転時に該扉パネルを構成する棒鋼の下端側角隅が遊嵌可能な切り欠き部を形成したことにある。
【０００６】
そして、前記扉パネルは、回動可能に連結した下部パネル体と上部パネル体とから構成し、該上部パネル体を外側に回転させることにより二つ折可能に構成するとよい。
【考案の効果】
【０００７】
本考案は以上詳述した如く構成したから、下記の諸効果を奏する。
（１）底部パネルを構成する枠材は断面略冂型又は口型をなしており、コンテナ内に農産物を収容する際に、砂、土、雑物等が底部パネル内に溜ったり、雨水が溜ることがないので、これらが農産物に混入して品質を損なうといった事態を解決することができる。
（２）底部パネルを構成する断面略冂型又は口型の枠材に切り欠き部を形成することにより、扉パネルの外方向回転時に該扉パネルを構成する棒鋼の下端側角隅が切り欠き部に遊嵌するようにしたから、扉パネルを円滑に外側に開放することができる。
（３）扉パネルは下部パネル体と上部パネル体を回動可能に連結し、上部パネル体は外側に回転させることにより二つ折可能に構成したから、作業者は作業開始当初は扉パネルを二つ折の状態にすることにより、しゃがんだり、座った姿勢のままで農産物を収容する作業ができるので、体の動きの負担を大幅に軽減することができるし、作業効率も高めることができる。
【考案を実施するための最良の形態】
【０００８】
以下、本考案の第１の実施の形態を図面に基づき詳述する。図において、１はメッシュ型コンテナを構成する底部パネルで、該底部パネル１は断面口状の鋼材からなる縦材２Ａ、２Ａと横材２Ｂ、２Ｂを連結して外形を略四角形を形成し、内側に中間材２Ｃ、２Ｃを架設して構成した枠体２と、該枠体２に複数本の棒鋼３Ａ、３Ｂ、・・・を縦横に配列して溶接手段により互いに固着して組み付けたメッシュ状パネル部３とから構成してある。そして、前記枠体２の外側縦材２Ａには、上側面２Ａ1 に長手方向一端側に位置して図４に示すように長方形の切り欠き部４が形成してある。
【０００９】
５は前記底部パネル１の下側に一体に設けた支持体を示す。該支持体５は鋼材からなり、前記枠体２の外面に沿って固着した一対の外側脚材５Ａ、５Ａと、該外側脚材５Ａに離間して平行に配設し、枠部２に固着した一対の内側脚材５Ｂ、５Ｂと、外側脚材５Ａ、５Ａ及び内側脚材５Ｂ、５Ｂに連結した平板鋼からなる前後一対の連結材５Ｃ、５Ｃ（但し、一方のみ図示）とから構成してあり、外側脚材５Ａと内側脚材５Ｂとの間の空間Ａ、Ａはフォークリフトによるリフト時にフォークを挿入することができるスペースになっている。
【００１０】
１１、１１は底部パネル１の対向する２辺の側縁に螺旋状の係合具１２を介して内方向に回動可能に連結した一対の横側枠パネルで、該各横側枠パネル１１は多数本の縦棒鋼１１Ａ、１１Ａ、・・・と横棒鋼１１Ｂ、１１Ｂ、・・・を縦横に配列して溶接手段で互いに固着することにより四角形のメッシュ状パネルに構成してある。また、１３は横側枠パネル１１、１１間に位置して底部パネル１の側縁に係合具１２を介して内方向に回動可能に連結した後側枠パネルを示す。該後側枠パネル１３も横側枠パネル１１と同様に、多数本の縦棒鋼１３Ａ、１３Ａ、・・・と横棒鋼１３Ｂ、１３Ｂ、・・・を縦横に配列して互いに固着することにより四角形のメッシュ状パネルに構成してある。
【００１１】
１４は底部パネル１の前側縁に係合具１２を介して内外方向に回動可能に連結した扉パネルで、該扉パネル１４も後側枠パネル１３と同様に、多数本の縦棒鋼１４Ａと横棒鋼１４Ｂを縦横に配列して溶接手段で互いに固着することにより四角形のメッシュ状パネルに構成してある。そして、各縦棒鋼１４Ａは連結部位の強度性を高めるために下端側の角隅１４Ａ1 を略Ｌ字状に屈曲させ、先端側に横棒鋼１４Ｂを固着した構成にして底部パネル１に連結してある。
【００１２】
１５は横側枠パネル１１、１１と後側枠パネル１３同士、横側枠パネル１１、１１と扉パネル１４同士を連結する連結具で、該連結具１５は棒鋼を螺旋状に成形したものからなり、一の方向に回転させることにより、隣接する横側枠パネル１１と後側枠パネル１３同士、横側枠パネル１１と扉パネル１４同士を連結し、逆方向に回転させて係合を解除することにより、横側枠パネル１１、１１と後側枠パネル１３は内側に折畳むことができ、扉パネル１４は内側に折畳むことができると共に、外側に開放させることができるようになっている。
【００１３】
本実施の形態に係るメッシュ型コンテナは上述の構成からなり、農産物を収穫地でメッシュ型コンテナに収容する場合、前側の扉パネル１４を外側に開いた状態にして農産物をコンテナ内に収容する作業は従来のコンテナと基本的に異なるところはない。しかし、底部パネル１を構成する縦材２Ａ、２Ａ、横材２Ｂ、２Ｂ及び中間材２Ｃ、２Ｃには断面口状の鋼材を用いており、かつ外側縦材２Ａ、２Ａの長手方向先端側に切り欠き部４を形成してある。従って、農産物の収容時に土、砂、雑物等が底部パネル１の枠材内に溜り、農産物を貯蔵倉庫や収納ホッパーに移すためにコンテナを逆転させた場合に、砂、土、雑物等の異物が農産物と共に貯蔵倉庫や収納ホッパーに混入するといった事態を解消することができる。これにより、農産物を異物が混入しない品質に保持することができる。
【００１４】
また、扉パネル１４を外側に開いた場合に、縦棒鋼１４Ａの略Ｌ字状に屈曲している下端側角隅１４Ａ1 は切り欠き部４に遊嵌することにより、扉パネル１４は水平状態に近い角度まで開放させることができる。このように、扉パネル１４は外側縦材２Ａに影響されずに水平状態に近い角度まで外側に開くことができるので、農産物の収容作業を円滑に行うことができるし、作業者はしゃがんだり、座った姿勢のままで農産物を収容することができるので作業時の身体的負担を軽減できる。
【００１５】
図７は本実施の形態の変形例を示し、その特徴とするところは外側縦材２Ａの長手方向先端側に、四角形の抜き穴からなる切り欠き部４’を形成したことにある。このように構成することにより、外側縦材２Ａの先端側が開放していないので、外側縦材２Ａの強度性を持たせることができる。
【００１６】
なお、底部パネル１、横側枠パネル１１、１３及び扉パネル１４の内側は合成樹脂製ネットで全面的に覆うことにより、輸送時や保管時の農産物の損傷防止を図る構成にしてあるが、この構成は公知技術であって本願考案の本質的部分ではないし、図が煩雑になるのでその図示及び説明は省略してある。
【００１７】
また、本実施の形態では、底部パネル１を構成する縦材２Ａ、２Ａ、横材２Ｂ、２Ｂ及び中間材２Ｃ、２Ｃには断面口状の鋼材を用いたが、断面略冂状の鋼材を用いてもよいものである。
【００１８】
更に、横側枠パネル１１、後側枠パネル１３及び扉パネル１４は底部パネル１に回転することにより取り外しが可能な螺旋状の係合具１２により連結してあるから、底部パネル１、横側枠パネル１１、後側枠パネル１３及び扉パネル１４のうちの損傷したパネルのみを取り外して修理したり、或は交換することが可能であり、保守費を節減することができる。
【００１９】
更にまた、本実施の形態は棒鋼を螺旋状に成形した連結具１５を用いたが、例えばスライドピンを扉パネル１４に設け、該スライドピンを横側枠パネル１１に係脱可能に係合させることにより扉パネル１４を横側枠パネル１１に連結させる構成にしてもよい。
【００２０】
次に、図８は第２の実施の形態を示す。なお、本実施の形態において前述した第１の実施の形態の構成要素と同一の構成要素には同一の符号を付して援用し、その説明を省略する。図において、２１は底部パネル１に係合具１２を介して内外方向に回動可能に連結した扉パネルで、該扉パネル２１は下部パネル体２２と、該下部パネル体２２の上端に回動可能に連結した上部パネル体２３とから構成してある。
【００２１】
該下部パネル体２２及び上部パネル体２３は第１の実施の形態の扉パネル１４と同様に、縦棒鋼２２Ａ（２３Ａ）と横棒鋼２２Ｂ（２３Ｂ）を縦横に配設して固着することにより横長四角形のメッシュ状パネルに構成してあり、下部パネル体２２に対して上部パネル体２３は外方向に回動可能に連結してある。なお、下部パネル体２２及び上部パネル体２３の各々には横側枠パネル１１、１１に係合するスライドピンからなる連結具（図示せず。）が設けてあり、横側枠パネル１１、１１に係脱可能に連結するようにしてある。
【００２２】
本実施の形態によれば、下部パネル体２２に上部パネル体２３を回動可能に連結し、上部パネル体２３は外側に二つ折可能に構成したから、作業者は作業開始当初は扉パネル２１を二つ折の状態にすることにより、しゃがんだり、座った姿勢のままで農産物を収容する作業ができるので、体の動きの負担を大幅に軽減することができるし、作業効率も高めることができる。
【産業上の利用可能性】
【００２３】
本考案に係るメッシュ型コンテナは本実施の形態で説明した農産物の収容、運搬の用途に限定されるものではない。
【図面の簡単な説明】
【００２４】
【図１】図１乃至図７は本考案の第１の実施の形態に係り、図１はメッシュ型コンテナの外観斜視図である。
【図２】底部パネルの平面図である。
【図３】底部パネルを構成する枠体の平面図である。
【図４】底部パネルの要部拡大斜視図である。
【図５】底部パネルに扉パネルを連結した状態の要部拡大斜視図である。
【図６】扉パネルを回転して開放させる状態の説明図である。
【図７】変形例に係る底部パネルの要部拡大斜視図である。
【図８】第２の実施の形態に係るメッシュ型コンテナの外観斜視図である。
【符号の説明】
【００２５】
１          底部パネル
２          枠体
２Ａ        外側縦材（枠材）
３          メッシュ状パネル部
４          切り欠き部
１１、１３    側枠パネル
１４        扉パネル
１４Ａ      縦棒鋼
１４Ａ1     角隅
１５        連結具
２１        扉パネル
２２        下部パネル体
２３        上部パネル体
【図１】
0003101344.tif 000003
【図２】
0003101344.tif 000004
【図３】
0003101344.tif 000005
【図４】
0003101344.tif 000006
【図５】
0003101344.tif 000007
【図６】
0003101344.tif 000008
【図７】
0003101344.tif 000009
【図８】
0003101344.tif 000010